(57)【要約】【課題】感染症医療廃棄物などを熱分解時に空気の侵入による爆発、燃焼等の危険を防止し、医療廃棄物の収納容器を破壊と同時に殺菌し、国の定める殺菌温度に達するまで熱分解ガスを大気放出させないことは可能か。【解決手段】供給装置を２基組み合せ抜気して、供給装置先端を絞り、刃物を設けたその先端を殺菌室内に置き、上下可動の切断刃と回転破壊機の破壊刃と殺菌室と熱分解槽間に交互に動く２基のダンパーと殺菌室内に過熱蒸気を噴出し熱分解ガス出口にダンパーを設ける。【選択図】図１
2014213196.tif 000002
【特許請求の範囲】
【請求項１】
箱状断面のシリンダー２基をＴ字に組み合せたＴシリンダー先端を絞り、絞った壁面より刃物を支え、壁面先端下面に切断刃と上下可動の一体機能の突切刃と絞り先端に相対する回転刃を殺菌室内に設け、電磁誘導過熱蒸気を噴射して殺菌室と連通する熱分解槽間に上下二段のダンパーを交互に動かす請求項１の殺菌供給装置。
【請求項２】
前記請求項の殺菌装置は、供給装置の１基に供給口とＴ字状に接合させた手前に排気口と絞り部位直前にも抜気孔を設け箱状シリンダー内を負圧に保ち、熱分解槽内はプラス圧力に保ち、前記槽内所定温度に達しなければ熱分解槽と連通する排ガス筒ガス出口ダンパーは開放しない請求項１と２の殺菌供給装置。
【発明の詳細な説明】
【技術分野】
【０００１】熱分解作業工程に於て、感染症医療廃棄物など混在した廃プラスチックなどの熱分解時に発生する排ガスに関する。
【背景技術】
【０００２】本発明は、感染症医療廃棄物や混在した廃プラスチックを熱分解に於いて熱分解槽上部に殺菌室とガス筒と攪拌機をもうけ殺菌室に交互に動く２段ゲートとガス筒出口にゲートをもうけ廃ガスをゲートによって未殺菌ガスの大気放出をコントロールする。【０００３】感染症医療廃棄物は、そのほとんどが焼却又はオートクレーブによって蒸気殺菌後埋立又は焼却処分され未利用であった。
焼却方法の焼却は、処理物中に塩化ビニール製のチューブなどの原因で炉が酸化し設備の長期使用に耐えられない問題があった。【０００４】オートクレーブ設備に於いて、殺菌される前工程に於いて、前記医療廃棄物はペール缶と呼ばれている容器に収容されていて、殺菌前にその容器を破壊しなければ該容器内の収容物を完全に殺菌処理することが不可能であるといった問題点があった。殺菌前に容器の破壊は収容物の容器よりの放出であり、大気に菌の放出、拡散の恐れがあった。【０００５】厳重に管理されて使用されるペール缶を殺菌するには、まずペール缶を殺菌室に収容し、該殺菌室内でペール缶を破壊し感染物と大気との接触を遮断し、破砕時に菌を撒き散らさない。
ペール缶の中身は透析のホース、手術衣から手術に使用した金属装具、点滴の薬液袋、患者が使用したおむつ、ペットボトル湯飲等、陶器、ガラス製品が混入しているが殺菌に選別排除は不可能な問題がある。【０００６】さらに熱分解時に処理物とともに供給すると外気浸入が起き、火災と爆発の発生が起きる。これはペール缶の形状の大小によってペール缶供給装置壁面とペール缶との空間に存在する空気の除去と熱分解槽内の内圧と大気の関係で問題が発生した。
殺菌室に外気の侵入防止にプラス圧にすると、ペール缶供給時に熱分解槽より排ガスが噴出し、未殺菌ガスと共に大気に放出する問題があった。【０００７】熱分解槽内の昇温途上で熱分解温度に達しないうちに排ガスが凝縮室である段塔に侵入すると未殺菌の排出がおき、殺菌の目的が達成されていない。その原因は廃プラに付着した水分と低熱分解廃プラが１００℃付近で気化する問題が起きた。【０００８】その対策として熱分解槽で発生したガスがガス筒を介して段塔に至るまでに遮断する。正常な殺菌温度と殺菌に必要な経過時間を確保する必要がある。
もう一つの問題は、熱分解槽に設けた攪拌機の回転により槽内を攪拌するレーキにより粉炭化した残渣物の飛散により採油内に固形微粒子の混入とゆう問題があった。
以上述べた諸問題を解決する方法は以下に述べる。
【特許文献１】特願２０１１−２４０６４５  阿部良博
【特許文献２】特願２０１１−２４０６２９  阿部良博
【特許文献３】特願２０１１−２４５９５１  阿部良博
【非特許文献１】蒸留プラント設計  相良  紘  著  日刊工業新聞社
【発明の開示】
【発明が解決しようとする課題】
【０００９】解決しようとする問題点を工程順に追って述べる。ペール缶供給時熱分解ガスとペール缶と同伴する空気とペール缶に封じ込めた感染症に汚染した処理物と空気を共に遮断し大気中への漏出を防止する。
殺菌室でペール缶を細分化し、熱分解槽より高温ガスの上昇を極力防止し、殺菌室でペール缶を破砕し熱分解高温ガスに混入する粉塵の粉塵量を減少させた排ガスを規制した温度に達するまで排ガスの規制することは可能か。
【課題を解決するための手段】
【００１０】ペール缶と同伴空気の吸引を防止し、ペール缶を殺菌室に収納するまで破壊せず殺菌室で切断破壊し、ペール缶内臓空気による爆発燃焼を防止する手段は、飽和蒸気を過熱蒸気に変えて殺菌室内に噴射し、硬質ペール缶を軟化させ破壊し小片化し上部ゲート上に仮集積し下部ゲートと交互に可動し熱分解槽内に供給する。
ゲートの開閉時に熱分解槽の高温ガスが殺菌室に侵入し室内温度の低下を防止する。【００１１】ペール缶は、供給装置の終端断面を縮小させる。外壁とその内部に切断刃物を設け軟化させたペール缶を押し切る。
押し切られた廃プラは旋回刃物で切断し、上段水平ゲート上に集積させ、ゲートが水平に引き抜かれると下段ゲートに落ち、上段ゲートが復元し閉鎖すると、下段ゲートは旋回し、集積物は下に設けた熱分解槽内に落下する。【００１２】電磁誘導過熱装置の機能は、本装置の範囲でないので説明を省略する。医療廃棄物には、５０％以上の水分が付着または含水していて、熱分解により気化した蒸気は、殺菌室の２枚のゲートの開閉により殺菌室に侵入すると共に正常ルートで排ガス筒より集塵装置を経て段塔内でガスは凝縮し液化する。【００１３】廃プラスチックは、熱分解槽内に伝熱性の向上を計るために攪拌機を用いて攪拌させると先入れした処理物が油化し、残渣物が粉塵となり、ガス筒を介して集塵室に至る間にガス筒内に充填物を詰めて充填物に付着させる。
粉塵を段塔まで持ち込み、油化した油に混入することを防ぎたい。【００１４】次に熱分解槽の目的温度に達する以前に段塔に導入し油化させると殺菌が終了しない温度で大気に放出する危険を防止するため排ガス筒出口にダンパーを設け温度管理によりダンパーの開閉を管理する。排ガスについての問題は、本件の主旨でないので省略する。
【発明の効果】
【００１５】本発明のこの装置は、感染症医療廃棄物並びに一般混在廃プラスチック等を殺菌し、油化工程において前記処理物と同伴する空気を抜気しペール缶内の汚染物もペール缶内の汚染空気も大気中に拡散するのを防止し、外部との経路を断ち安全を確保して殺菌に接続して高温で熱分解させ、熱分解による油化と残渣物を粉炭燃料とし、含まれていた塩化物で塩酸を作り自己完結を達成し、残廃棄物を零にした。
【発明を実施するための最良の形態】
【００１６】熱分解槽内に安全に処理物を送り込み、殺菌と切断とペール缶の破砕を同時におこない、もし未殺菌物が残留しても強制的に熱分解槽内に落しこみ高温でもって２５分以上殺菌と油化により殺菌の担保を確実にした。
【実施例１】
【００１７】図１．は本実施例の断面図であって１．供給口より処理物を供給すると供給口を閉ざし、供給装置内のピストンによって前進する該供給装置内の同伴空気は１６．抜気口より抜ける。【００１８】更に押し込まれると（ペール缶以下箱）箱は、絞られ変形し装置内の空気は抜かれ硬質装の箱やダンボール箱は先端に設けた３．切断刃により大形に裂かれピストンに押し込まれ正対した８．破砕機の７．破砕刃で破断し巻きついたり、とどまると５．切断刃により切り取られ６．突き落し機構により９．水平ダンパ上に落す。【００１９】ダンパー上に破砕物が集積するとダンパーは引き抜かれ、集積物は下のダンパー、１０．旋回ダンパー上に落し水平ダンパーは閉状態に復帰する。上部ダンパーが戻ると下ダンパーは旋回し、閉状態となり集積物を熱分解槽へ供給すると旋回ダンパーも復帰する。【００２０】殺菌室内はスタートと同時に４．電磁誘導過熱装置により飽和蒸気を更に６００℃まで昇温させて殺菌室内に噴射を続ける。それまでに熱分解槽内の排ガスを少量づつ供給し殺菌室室温を上げておく。
この前作業は初回のみとしペール缶など処理物は供給しないで空だきの状態とし排ガスダンパーも閉じておく。【００２１】熱分解槽内温度が殺菌可能な国の指定温度より１００℃以上に達した後、処理物を供給、切断、破壊、押し落とし等を交互に動き熱分解槽内に供給すると槽内温度は約５０℃程度低下するが殺菌温度よりも高く、未殺菌物が多少残っても再度熱分解槽内で廃プラを完全に熱分解させることが可能である。【００２２】熱分解槽内の目的温度に達して後、処理部を収納したペール缶を供給し、排ガス温度と圧力を上げると排ガスダンパーも供給用の上段、下段ダンパーも作動を可能にする。【００２３】ここで感染症医療廃棄物の内容のうち本来は患者に直接使用した物、または患者が触ったものは厳重に分類出来ないため硬質プラスチック箱に収容するか厚手のダンボール箱の内部にビニールを敷き詰めた場合と厚手のビニール袋に詰めたものがあり大きさもそれぞれ違い、これらを処理するのに供給装置の壁面と箱との隙間が大きい問題があり供給装置の先端を絞り、箱自体を栓にして、栓までの空気を抜くことで解決した。
【図面の簡単な説明】
【００２３】
【図１】処理物ペール缶の殺菌破壊と熱分解ガスの調整ダンパー等の実施方法を示した断面図である。
【符号の説明】
【００２４】１．供給口
２．供給装置
３．切断刃
４．電磁誘導過熱装置
５．突切刃
６．突き落し機構
７．破壊刃
８．破壊機
９．水平ダンパー
１０．旋回ダンパー
１１．熱分解槽
１２．攪拌機
１３．排ガス筒
１４．排ガスダンパ
１５．殺菌室
１６．排気口
【図１】
2014213196.tif 000003